(57)【要約】【課題】車両走行時に風圧でばたつくことがなく、且つ、空力性能や操縦・走行安定性が低下することのない、フロントスポイラーの提供。【解決手段】フロントスポイラー１は、正面部材３と一対の左右部材５（５Ｌ，５Ｒ）と底面部材とを備える。正面部材３は、車両に装着された状態において、当該車両の幅方向に長尺な曲面パネル３１を備えている。一対の左右部材５Ｌ，５Ｒは、正面部材３の左右端から車両後方に延伸する。底面部材は、正面部材３の下端及び一対の左右部材５Ｌ，５Ｒの下端から車両中心側に向けて入り込み地面と対向する。正面部材３と底面部材との間には、車両の幅方向に延びる第１の溝が形成されており、正面部材３と一対の左右部材５Ｌ，５Ｒとの間には、上下方向に延びる第２の溝が形成されている。【選択図】図１
2019182385.tif 000002
【特許請求の範囲】
【請求項１】
車両のフロントバンパーの下部に装着されるフロントスポイラーであって、
前記車両に装着された状態において、
前記車両の幅方向に長尺な曲面パネルを含む正面部材と、
前記正面部材の左右端から前記車両後方に延伸する一対の左右部材と、
前記正面部材の下端及び前記一対の左右部材の下端から車両中心側に向けて入り込み地面と対向する底面部材と、
を備え、
前記曲面パネルは、上下方向に関して下端が上端よりも前方に突出する凹状の曲面を有すると共に、左右方向に関して中央が左右端よりも前方に突出する形状を有し、
前記正面部材と前記底面部材との間には、前記車両の幅方向に延びる第１の溝が形成されており、
前記正面部材と前記一対の左右部材との間には、上下方向に延びる第２の溝が形成されていることを特徴とするフロントスポイラー。
【請求項２】
前記第１の溝と前記第２の溝とは１本の溝として連続的に形成されていることを特徴とする請求項１に記載のフロントスポイラー。
【請求項３】
前記正面部材は前記曲面パネルの上側にフレームを含み、
前記曲面パネルと前記フレームとの間には、前記車両の幅方向に延びる第３の溝が形成されていることを特徴とする請求項１又は２に記載のフロントスポイラー。
【請求項４】
前記第１の溝と前記第２の溝と前記第３の溝とは１本の連続した溝として形成されていることを特徴とする請求項３に記載のフロントスポイラー。
【請求項５】
前記フロントスポイラーは、金型を用いた射出成形によって一体的に成形されることを特徴とする請求項１から４のうち何れかに記載のフロントスポイラー。
【発明の詳細な説明】
【技術分野】
【０００１】
本発明は、車両のフロントバンパーの下部に装着されるフロントスポイラーに関する。
【背景技術】
【０００２】
フロントスポイラーは、自動車の空気力学的な抵抗・揚力の低減や、操縦・走行安定性の向上等を図ることを目的として、車体の特に前方及び後方の下部に取り付けられることが知られている。
【先行技術文献】
【特許文献】
【０００３】
【特許文献１】特開２０１８−０１６３０８号公報
【発明の概要】
【発明が解決しようとする課題】
【０００４】
フロントスポイラーは、車体の下部に取り付けられる性質上、縁石や駐車場の車止め等の障害物にぶつけたり乗り上げたりしてしまい、破損することが多い。硬度が高い樹脂を用いた場合ほど破損しやすく、その分修理費用が嵩む。そのため、従来、そのような障害物に遭遇しても、ある程度変形することで破損を免れるよう、比較的硬度の低い樹脂を利用して成形されている（特許文献１）。
【０００５】
しかし、硬度の低い樹脂を用いたフロントスポイラーは、車両走行時に風圧で変形してばたついたり、変形により空力性能が低下したりする問題がある。そこで、本発明者は、上記特許文献１に記載されているような補強部材を用いることなく、形状自体に改良を加えることにより、強度及び空力性能の高いフロントスポイラーを開発するに至った。
【０００６】
本発明は前記諸点に鑑みてなされたものであり、車両走行時に風圧でばたつくことがなく、且つ、空力性能や操縦・走行安定性が低下することのない、フロントスポイラーを提供することを目的とする。
【課題を解決するための手段】
【０００７】
上記目的を達成するために、本発明は、車両のフロントバンパーの下部に装着されるフロントスポイラーであって、前記車両に装着された状態において、前記車両の幅方向に長尺な曲面パネルを含む正面部材と、前記正面部材の左右端から前記車両後方に延伸する一対の左右部材と、前記正面部材の下端及び前記一対の左右部材の下端から車両中心側に向けて入り込み地面と対向する底面部材と、を備え、前記曲面パネルは、上下方向に関して下端が上端よりも前方に突出する凹状の曲面を有すると共に、左右方向に関して中央が左右端よりも前方に突出する形状を有し、前記正面部材と前記底面部材との間には、前記車両の幅方向に延びる第１の溝が形成されており、前記正面部材と前記一対の左右部材との間には、上下方向に延びる第２の溝が形成されていることを特徴とするフロントスポイラーを提供している。
【０００８】
また、前記第１の溝と前記第２の溝とは１本の溝として連続的に形成されていることを特徴とする請求項１に記載のフロントスポイラーであることが好ましい。
【０００９】
また、前記正面部材は前記曲面パネルの上側にフレームを含み、前記曲面パネルと前記フレームとの間には、前記車両の幅方向に延びる第３の溝が形成されていることが好ましい。
【００１０】
また、前記第１の溝と前記第２の溝と前記第３の溝とは１本の連続した溝として形成されていることを特徴とする請求項２に記載のフロントスポイラーであることが好ましい。
【００１１】
また、前記正面部材、前記一対の左右部材及び前記底面部材は、金型を用いた射出成形によって一体的に成形されるのが好ましい。
【発明の効果】
【００１２】
本発明によれば、フロントスポイラーに第１の溝及び第２の溝が形成されているため、補強部材を用いていなくても、フロントスポイラーの強度が増す。よって、車両走行中に受ける風圧によってフロントスポイラーに生じるねじれや歪みが低減され、空力性能等を発揮することが可能である。
【図面の簡単な説明】
【００１３】
【図１】本発明の実施形態に係るフロントスポイラーを示す斜視図。
【図２】フロントスポイラーの前面を斜め上から見た斜視図。
【図３】フロントスポイラーを下から見た底面図。
【図４】フロントスポイラーの左側面図。
【図５】フロントスポイラーのＶ−Ｖ断面図。
【図６】第１の変形例に係るフロントスポイラーを示す左側面図。
【図７】第２の変形例に係るフロントスポイラーを示す左側面図。
【発明を実施するための形態】
【００１４】
＜１．構成＞
本発明の実施形態によるフロントスポイラー１について図１乃至図５を参照しながら説明する。本発明のフロントスポイラー１は、自動車のフロントバンパー（不図示）の下部に装着される部材である。なお、説明の都合上、各図面において、フロントスポイラー１に関して前後方向Ｄ１、左右方向Ｄ２及び上下方向Ｄ３を定義している。
【００１５】
図１に示されるように、フロントスポイラー１は、正面部材３と、左右に一対の側面部材５（５Ｌ，５Ｒ）と、底面部材７（図３参照）とを備えている。ここでは、フロントスポイラー１は、金型を用いた射出成形によって一体的に形成されているものとする。つまり、正面部材３、一対の側面部材５Ｌ，５Ｒ及び底面部材７（図３参照）の各部材は独立した部材ではなく、フロントスポイラー１の一部を構成するものである。
【００１６】
以下、フロントスポイラー１を構成する正面部材３、一対の側面部材５Ｌ，５Ｒ及び底面部材７について詳細に説明する。
【００１７】
正面部材３は、フロントスポイラー１が車両に装着された状態において、車両の進行方向を向いて車両の幅方向に長尺な部材である。
【００１８】
具体的には、正面部材３は、曲面パネル３１と上部フレーム３３と溝部４Ｕとを備えて構成される。上部フレーム３３は、溝部４Ｕを隔てて曲面パネル３１の上側に配置される部材であり、上下方向Ｄ３の長さが曲面パネル３１よりも短い。溝部４Ｕは、図４及び図５に示されるように、曲面パネル３１と上部フレーム３３との間において曲面パネル３１及び上部フレーム３３に対して後方（車両側）に凹となるように形成されている。
【００１９】
図１に示すように、正面部材３を構成する曲面パネル３１、上部フレーム３３及び溝部４Ｕは、いずれも、車両の幅方向において右左両端まで延在している。
【００２０】
図４及び図５に示されるように、曲面パネル３１は、上下方向Ｄ３に関して下端が上端よりも前方に突出する凹状の曲面を有する。また、図２に示さるように、曲面パネル３１は、左右方向に関して中央が左右端よりも前方に突出する弓形状を有する。
【００２１】
曲面パネル３１は、アートパネルとも称され、車両のユーザがデザインを施したり、広告用の看板として用いたりするための領域である。曲面パネル３１が車両正面下部に配置されることにより、比較的目立つ場所に独自のデザインをアレンジ（デコレーション）する領域が確保される。
【００２２】
一対の側面部材５Ｌ，５Ｒは、正面部材３の左右端側から車両後方に向けて緩やかに曲がりながら略直角に延伸する部分である。図１及び図２に示すように、右側の側面部材５Ｒは正面部材３の右端から後方に延在しており、左側の側面部材５Ｌは正面部材３の左端から後方に延在している。側面部材５Ｌ，５Ｒの上端は、正面部材３の上部フレーム３３と連続的に形成されており、正面部材３と側面部材５Ｌ，５Ｒとの境目は緩やかな曲線を描いている。また、側面部材５Ｌ，５Ｒの下端は、車両のデザインにもよるが、上端から略鉛直方向の下方に位置していてもよいし、やや外側に広がっていてもよい。
【００２３】
図２に示されるように、曲面パネル３１と側面部材５Ｌとの間には溝部６Ｌが形成されており、曲面パネル３１と側面部材５Ｒとの間には溝部６Ｒが形成されている。溝部６Ｌ，６Ｒは、いずれも、曲面パネル３１及び一対の側面部材５Ｌ，５Ｒに対して内側（車両側）に凹となるように形成されている。また、溝部６Ｌ，６Ｒは、上述の溝部４Ｕと連続的に形成されている。すなわち、溝部４Ｕと溝部６Ｌ，６Ｒとは連続した一本の溝部を構成する。
【００２４】
図３に示されるように、底面部材７は、正面部材３の下端及び一対の側面部材５Ｌ，５Ｒの下端から車両中心側に向けて入り込み地面と対向する部材である。底面部材７は、下側から見た場合に、Ｕ字形状を有する。
【００２５】
また、図３及び図５に示されるように、底面部材７と曲面パネル３１との間には溝部４Ｌが形成されている。溝部４Ｌは、曲面パネル３１に沿って左右方向に延在し、上述の溝部６Ｌ，６Ｒに接続されている。すなわち、溝部４Ｌと溝部６Ｌ，６Ｒとは連続した一本の溝部を構成する。また、上述したとおり溝部４Ｕと溝部６Ｌ，６Ｒとが連続しているため、溝部４Ｕと溝部６Ｌ，６Ｒと溝部４Ｌとは曲面パネル３１を包囲するように連続した一本の溝部を構成する。
【００２６】
溝部４Ｕ、溝部６Ｌ，６Ｒ及び溝部４Ｌは、正面部材３が車両走行時に受ける高い風圧によって変形するのを防ぐためのリブとして機能する（図４参照）。各溝部の形状は、コの字状、Ｕ字状、又はＶ字状のいずれであってもよい。深さは、正面部材３の強度を高める程度のものであれば、特に限定されない。
【００２７】
図２に示すように、正面部材３（曲面パネル３１、溝部４Ｕ及び上部フレーム３３）は、左右方向に関して、前方に凸となる弧を描くように弓状に形成されている。上部フレーム３３及びその下側に設けられる溝部４Ｕは、ほぼ同じ曲率半径を有している。
【００２８】
一方、曲面パネル３１の曲率半径は、上部フレーム３３及び溝部４Ｕの曲率半径よりも小さく、曲がりが大きくなるように構成されている。
【００２９】
まず、図４を参照しつつ、曲面パネル３１の上端側における幅方向の曲がり具合について説明する。図４においては、曲面パネル３１の中央が符号３１Ｃで示され、曲面パネル３１の左端が符号３１Ｌで示されている。図４に示されるように、曲面パネル３１の中央３１Ｃの上端は上部フレーム３３と略同じ位置（つらいち）であるのに対し、曲面パネル３１の左端３１Ｌの上端は上部フレーム３３よりも大きく後方（車両側）に凹んでいる。なお、図示及び説明は省略するが、反対側の右端についても同様である。よって、曲面パネル３１の上端側の曲率半径は、上部フレーム３３及び溝部４Ｕの曲率半径よりも小さい。
【００３０】
次に、曲面パネル３１の下端側における幅方向の曲がり具合について説明する。曲面パネル３１の下端側は上端側よりも前方に突出している。よって、曲面パネル３１の下端側の曲率半径も、上部フレーム３３及び溝部４Ｕの曲率半径に比べると小さい。
【００３１】
以上説明したとおり、本実施形態によれば、フロントスポイラー１に溝部４Ｕ、溝部６Ｌ，６Ｒ及び溝部４Ｌが形成されているため、補強部材を用いていなくても、フロントスポイラー１の強度が増す。よって、車両走行中に受ける風圧によってフロントスポイラー１に生じるねじれや歪みが低減され、空力性能等を発揮することが可能である。
【００３２】
また、本実施形態では、曲面パネル３１を含む正面部材３、一対の側面部材５Ｌ，５Ｒ及び底面部材７が一体的に構成されているが、溝部４Ｕ、溝部６Ｌ，６Ｒ及び溝部４Ｌによって曲面パネル３１が別部材のように見える。
【００３３】
＜２．変形例＞
本発明によるフロントスポイラーは上述した実施の形態に限定されず、特許請求の範囲に記載した範囲で種々の変形や改良が可能である。
【００３４】
例えば、上記実施形態では、溝部４Ｕ、溝部６Ｌ，６Ｒ及び溝部４Ｌが連続した一本の溝として構成される場合を例示したが、これに限定されず、それぞれ独立した溝として構成されるようにしてもよい。
【００３５】
また、上記実施形態では、正面部材３、一対の側面部材５Ｌ，５Ｒ及び底面部材７が一体の部材として構成される場合を例示したが、これに限定されず、それぞれ別部材として構成されるようにしてもよい。
【００３６】
また、上記実施形態では、溝部６Ｌ，６Ｒが曲線で形成される場合を例示したが（図４参照）、これに限定されず、図６に示されるように、くの字状に屈曲する２本の直線６１Ｌ，６３Ｌで形成されるようにしてもよい。
【００３７】
また、上記実施形態では、正面部材３が曲面パネル３１と溝部４Ｕと上部フレーム３３との３要素で構成される場合を例示したが、溝部４Ｕ及び上部フレーム３３は必ずしも必須の構成要素ではない。例えば、図７に示すように、フロントスポイラー１から溝部４Ｕ及び上部フレーム３３を無くしてもよい。
【００３８】
かかる変形例においても、溝部６Ｌ，６Ｒ及び溝部４Ｌによってフロントスポイラー１のねじれや歪みを低減することが可能である。
【産業上の利用可能性】
【００３９】
以上のように本発明にかかるフロントスポイラーは車両のフロントバンパーに装着するのに適している。
【符号の説明】
【００４０】
１  フロントスポイラー
３  正面部材
４Ｌ，４Ｕ  溝部
５（５Ｌ，５Ｒ）  側面部材
６Ｌ，６Ｒ  溝部
７  底面部材
３１  曲面パネル
３１Ｃ  中央
３１Ｌ  左端
３３  上部フレーム
Ｄ１  前後方向
Ｄ２  左右方向
Ｄ３  上下方向
【図１】
2019182385.tif 000003
【図２】
2019182385.tif 000004
【図３】
2019182385.tif 000005
【図４】
2019182385.tif 000006
【図５】
2019182385.tif 000007
【図６】
2019182385.tif 000008
【図７】
2019182385.tif 000009